(57)【要約】【課題】薬剤の微細、分散化を図り、かつ比較的小さな吸引力で投与できる吸引式投薬器を提案する。【解決手段】薬剤を充填したカプセルを収納する収納室Mを有するボディ1と、このボディ1の収納室Mに配置されたカプセルに孔を開ける穿孔手段6と、穿孔されたカプセルの薬剤を該収納室Mにつながる排出経路3aを通して吸引するマウスピース2とを備えた吸引式投薬器において、前記ボディ1とマウスピース2との相互間に、該ボディ1の出側経路1c及びマウスピース2の噴出経路2aにそれぞれつながる出入り口を有しその内部空間にて薬剤を撹乱、破砕せしめて微細、分散化を図る分散室を設け、前記分散室3を、内部空間を区画形成する外周壁3a、3bと、この外周壁3a、3bによって区画形成された内部空間を複数領域に区分して迂回経路rを形成する隔壁3cと、一端がマウスピース2の噴出経路2aにつながり他端を隔壁3cに連係させて迂回通路rに接続する筒体3dにて構成する。【選択図】図１
2008295685.tif 000002
【特許請求の範囲】
【請求項１】
薬剤を充填したカプセルを収納する収納室を備えたボディと、このボディの収納室に装填されたカプセルに孔を開けて薬剤を取り出す穿孔手段と、カプセルより取り出された薬剤を噴出経路を通して吸引するマウスピースとを備えた吸引式投薬器であって、
前記ボディとマウスピースとの相互間に、該ボディの出側経路及びマウスピースの噴出経路にそれぞれつながる出入り口を有しその内部空間にて薬剤を撹乱、破砕せしめて微細、分散化を図る分散室を設け、
前記分散室は、内部空間を区画形成する外周壁と、この外周壁によって区画形成された内部空間を複数領域に区分して迂回経路を形成する隔壁と、一端がマウスピースの噴出経路につながり他端を隔壁に連係させて迂回通路に接続する筒体からなる、ことを特徴とする吸引式投薬器。
【発明の詳細な説明】
【技術分野】
【０００１】
本発明は、患者の吸引により薬剤を投与するのに適した吸引式投薬器に関するものであり、カプセルから取り出した薬剤の微細、分散化を実現しようとするものである。
【背景技術】
【０００２】
薬剤を装填したカプセルを収納室に配置し該カプセルに孔を開けたのち、マウスピースを通してカプセル内の薬剤を吸引する吸引器は、喘息患者等において多用されるものであって、薬剤の微細分散を促進するものとしては、複数の絞り通路と拡散通路を交互に直列に配置した吸入式投薬器が知られている（例えば特許文献1参照）。
【特許文献１】特開2000-217919号公報
【０００３】
ところで、上記のような従来の投薬器は、絞り通路の相互間に存在させている拡散通路内に薬剤が堆積して詰まり易く、それを取り除くには構成部材の分解が不可欠で手間がかかることに加え、絞り通路が複数存在するため比較的大きな吸引力を必要としており、この点に関して未だ改善の余地が残されていた。
【発明の開示】
【発明が解決しようとする課題】
【０００４】
本発明の課題は、カプセルから取り出した薬剤を微細、分散化させて比較的小さな力で吸引することができる新規な吸引式投薬器を提案するところにある。
【課題を解決するための手段】
【０００５】
本発明は、薬剤を充填したカプセルを収納する収納室を備えたボディと、このボディの収納室に装填されたカプセルに孔を開けて薬剤を取り出す穿孔手段と、カプセルより取り出された薬剤を噴出経路を通して吸引するマウスピースとを備えた吸引式投薬器であって、
前記ボディとマウスピースとの相互間に、該ボディの出側経路及びマウスピースの噴出経路にそれぞれつながる出入り口を有しその内部空間にて薬剤を撹乱、破砕せしめて微細、分散化を図る分散室を設け、
前記分散室は、内部空間を区画形成する外周壁と、この外周壁によって区画形成された内部空間を複数領域に区分して迂回経路を形成する隔壁と、一端がマウスピースの噴出経路につながり他端を隔壁に連係させて迂回通路に接続する筒体からなる、ことを特徴とする吸引式投薬器である。
【発明の効果】
【０００６】
分散室の内部空間を隔壁により複数領域に区分しマウスピースの噴出経路に至るまでの間の道のりを長くする迂回経路を設けるようにしたので、この経路を通る間に薬剤は十分に撹乱、破砕されることになる。
【発明を実施するための最良の形態】
【０００７】
以下、図面を参照して本発明をより具体的に説明する。
図1は本発明に従う吸引式投薬器の実施の形態をその外観で示したものであり、図2、図3はその各断面を示した図である。
【０００８】
図において1は投薬器の主要部を構成するボディである。このボディ1は軸心L（図2参照）に沿う対向位置の2箇所において両端が開放された筒体1′を例として示してあり、その内側には、図2に示すように仕切り壁1aによってカプセルを収納する収納室Mと、この収納室Mに開口hを通してつながる入側経路1b及び出側経路1cが形成されている。
【０００９】
2は筒体1′の開口部1dにつながるマウスピースである。このマウスピース2は外気と混合された薬剤を排出する末広がり形状になる噴出経路2aを有する。
【００１０】
3はボディ1とマウスピース2の相互間に設けられた分散室である。この分散室3は一方を他方に嵌合させて内部空間を区画形成する二分割形式の例で示した外周壁3a、3b（位置決め用の凹凸3a１、3b１を有する。図4参照）と、内部空間を入側域M１と出側域M２に区分して迂回経路rを形成する隔壁3c（外周壁3bと一体物として表示）と、一端がマウスピース2の噴出経路2aの後端につながり他端を隔壁3cの端部に連係させて出側域M２にて迂回経路rに接続する筒体3dからなっており、外周壁3bには、ボディ1の出側経路1cにつながり内部空間の入側域M１で壁面に沿って薬剤を導入する入口（先細り形状の絞り通路）3eが形成されている。外周壁3a、3bの分解状態を薬剤の流れとともに図4に示す。
【００１１】
また、4は筒体1′のもう一方の開口部1eに設けられた蓋体である。この蓋体4はマウスピース2による吸引時にボディ1内への外気の導通を許容する逆止弁4aが配置されていて、連結部としての枢軸Pを介して筒体1′に開閉可能につながっている。連結部は枢軸Pに代えてヒンジを適用することもできる。
【００１２】
5は蓋体4の両側に一体的に設けられた係止片である（図1参照）。この係止片5の先端には爪部5aが設けられており、この爪部5aを、筒体1′に設けた開口で係止することで蓋体4を閉じた状態に保持する。
【００１３】
6はボディ1の収納室Mに配置されたカプセルに孔を開ける穿孔手段である。この穿孔手段6はボディ1に一体的あるいは別体としてつながるとともに上端部に開口を有する筒体6aと、この筒体6aの内側にてスプリングSの如き弾性部材にてスライド可能に支持され、上端部の開口より抜け出し不能に露出する押しボタン6bと、この押しボタン6bの孔部6b′に嵌合保持され、該押しボタン6bの押圧にて隔壁1aに形成された貫通孔hを通して収納室Mに先端部分を導入してカプセルの穿孔を行なうピン6cからなる。さらに、7は筒体6aの上端部でねじあるいはアンダーカットにより係合され押しボタン6bの抜け出しを防止する抜け止めキャップである。
【００１４】
上記の構成になる投薬器において、収納室M内に配置したカプセル内の薬剤を吸引するには、まず、押しボタン6bを押し込む。そうすると押しボタン6bにつながるピン6cがスプリングSの反発力に抗して収納室Mへと導入されその先端部分でカプセルに孔を開けることになる。
【００１５】
カプセルに孔を開けたのち、マウスピース2を口で咥え込んで吸気すると、図2中の矢印の如く逆止弁4aを通って外気が収納室M内へと流入し、カプセル内の薬剤と混合され、開口hを経て出側経路1cから入口3eを通って分散室3へと導入される。
【００１６】
分散室3では迂回経路rにより内部空間の道のりが十分に長くなっており、図2中の矢印の如き流れにより薬剤はそこを通る間に撹乱、破砕され、マウスピース2の噴出経路2aからは微細、分散化された薬剤として噴出することになる。
【００１７】
カプセルを収納室Mに配置するには、蓋体4の係止片5を両側から内側に向けて押し込みその爪部5aによるボディ1との連係を解除して図5に示すように、蓋体4を枢軸Pを基点にして回動させればよく、これにより収納室Mの入口M１が開となりカプセルを簡単に装填することができる。
【００１８】
本発明では、穿孔手段6をボディ1の軸心Lに対して直交する向きに設けたものを例として示したが、該穿孔手段6は、ボディ1の軸心に沿う向きに設けてもよく、この場合、筒体1′の開口部1d、1eの設置位置は該筒体1′の軸心Lに直交する向きに設ける等、適宜変更される。
【００１９】
分散室3の隔壁3cについては、図4に示したように、円筒状のものの他にプレートを1枚若しくは複数枚組み合わせて構成してもよい。
【００２０】
また、迂回経路rは吸引力に影響しない範囲で3以上の領域に区分して形成することもできる。
【００２１】
薬剤のスムーズな流れを誘導するため、外周壁3a、3bの内壁は湾曲面を設けるのが好ましい。
【００２２】
図6はカプセルを縦置きにして収納するタイプの投薬器の例を示したものである。この場合には、穿孔手段6とボディ1とを枢軸Pを介して連結し枢軸Pを起点にして穿孔手段6を回動させて収納室Mを開放する。
【００２３】
図7は収納室Mの出側経路1cの側壁及び底壁を含む末端壁に湾曲面8を形成した構造になる投薬器を示した図である。出側経路1cの末端壁に湾曲面8を形成することにより薬剤の流れがスムーズになり出側経路1c内において薬剤が堆積、固着するのを回避することができる。
【産業上の利用可能性】
【００２４】
カプセル内の薬剤を微細、分散化するとともに比較的小さな吸気力でもって薬剤の投与を行い得る吸引式投薬器が提供できる。
【図面の簡単な説明】
【００２５】
【図１】本発明にしたがう吸引式投薬器の実施の形態を外観で示した図である。
【図２】図1に示した投薬器の断面を示した図である。
【図３】図2のA-A断面を示した図である。
【図４】分散室の分解状態を示した図である。
【図５】図1に示した投薬器につき、収納室を開放した状態を示した図である。
【図６】本発明にしたがう吸引式投薬器の他の実施の形態を示した図である。
【図７】薬剤の堆積、固着を回避し得る吸引式投薬器の構成を示した図である。
【符号の説明】
【００２６】
1  ボディ
1′筒体
1a  仕切り壁
1b  入側経路
1c  出側経路
1d  開口部
1e  開口部
2   マウスピース
2a  噴出経路
3   分散室
3a  外周壁
3b  外周壁
3c  隔壁
3d  筒体
3e  入口
4   蓋体
4a  逆止弁
4b  開口
5   係止片
5a  爪部
6   穿孔手段
6a  筒体
6b  押しボタン
6b′孔部
6c  ピン
7   抜け止めキャップ
8   湾曲面
M   収納室
S   スプリング
L   軸芯
M１  入側域
M２  出側域
P   枢軸
ｒ  迂回経路
【図１】
2008295685.tif 000003
【図２】
2008295685.tif 000004
【図３】
2008295685.tif 000005
【図４】
2008295685.tif 000006
【図５】
2008295685.tif 000007
【図６】
2008295685.tif 000008
【図７】
2008295685.tif 000009